(57)【特許請求の範囲】
【請求項１】
互いの先端部が突き当たる閉状態で被測定導体をクランプする開閉可能な一対のクランプアームと、該クランプアームを開閉可能に支持する本体とを有するクランプ式測定器であって、
該本体、及び／又はクランプアームが、該クランプアームの先端部側の方向に光を照射可能な光照射部を有しており、
該本体が、該クランプアームが開状態のときに該光照射部に光を照射させ、且つ前記クランプアームが開状態から閉状態になったときに、所定時間が経過するまで前記光照射部に光の照射を継続させる制御部を有することを特徴とするクランプ式測定器。
【請求項２】
前記クランプアームが、前記光照射部の光の照射に連動して補助光を照射する補助光照射部を有することを特徴とする請求項１に記載のクランプ式測定器。
【請求項３】
前記本体が、前記光照射部に光を照射させるための操作部を有することを特徴とする請求項１又は２に記載のクランプ式測定器。
【請求項４】
互いの先端部が突き当たる閉状態で被測定導体をクランプする開閉可能な一対のクランプアームと、該クランプアームを開閉可能に支持する本体とを有するクランプセンサであって、
該本体、及び／又はクランプアームが、該クランプアームの先端部側の方向に光を照射可能な光照射部を有しており、
該本体が、該クランプアームが開状態のときに該光照射部に光を照射させ、且つ前記クランプアームが開状態から閉状態になったときに、所定時間が経過するまで前記光照射部に光の照射を継続させる制御部を有することを特徴とするクランプセンサ。
【請求項５】
前記クランプアームが、前記光照射部の光の照射に連動して補助光を照射する補助光照射部を有することを特徴とする請求項４に記載のクランプセンサ。
【発明の詳細な説明】
【技術分野】
【０００１】
本発明は、被測定導体をクランプして被測定導体に流れる電流等を測定するクランプ式測定器、及びクランプセンサに関するものである。
【背景技術】
【０００２】
電力関連の現場では、電線等の被測定導体の漏れ電流、負荷電流等を検出するためにクランプ式測定器が広く使用されている。クランプ式測定器は、被測定導体を切断することなく電気的絶縁を保ちながら流れる電流を検出することができる。
【０００３】
従来のクランプ式測定器は、例えば特許文献１に示されるように、略円弧状の第１センサ及び第２センサによって環状のクランプセンサが構成され、本体部に設けられたレバーを操作することで両センサの先端部同士が互いに離反して開状態になる。開状態になったクランプセンサ内に電線を導入してから、レバーの握りを緩めてクランプセンサを閉じる。そして電線に流れる電流を測定する。
【０００４】
電線は、屋内の天井裏、床下、壁の内側等の暗所に敷設され、分電盤、制御盤等のキャビネット内の暗部で接続されていることが多い。このような暗い場所で複数の電線の中から目的とする電線をクランプセンサ内に導入してクランプする作業は、電線を視認し難いため、その作業に手間取るという問題がある。
【先行技術文献】
【特許文献】
【０００５】
【特許文献１】特開２００７−３０９７３１号公報
【発明の概要】
【発明が解決しようとする課題】
【０００６】
本発明は前記の課題を解決するためになされたもので、暗い場所であっても被測定導体をクランプする作業を、簡便かつ迅速に行うことのできるクランプ式測定器、及びクランプセンサを提供することを目的とする。
【課題を解決するための手段】
【０００７】
前記の目的を達成するためになされた、特許請求の範囲の請求項１に記載されたクランプ式測定器は、互いの先端部が突き当たる閉状態で被測定導体をクランプする開閉可能な一対のクランプアームと、該クランプアームを開閉可能に支持する本体とを有するクランプ式測定器であって、該本体、及び／又はクランプアームが、該クランプアームの先端部側の方向に光を照射可能な光照射部を有しており、該本体が、該クランプアームが開状態のときに該光照射部に光を照射させ、且つ前記クランプアームが開状態から閉状態になったときに、所定時間が経過するまで前記光照射部に光の照射を継続させる制御部を有することを特徴とする。
【０００８】
請求項２に記載されたクランプ式測定器は、請求項１に記載のもので、前記クランプアームが、前記光照射部の光の照射に連動して補助光を照射する補助光照射部を有することを特徴とする。
【０００９】
請求項３に記載されたクランプ式測定器は、請求項１又は２に記載のもので、前記本体が、前記光照射部に光を照射させるための操作部を有することを特徴とする。
【００１１】
前記の目的を達成するためになされた、特許請求の範囲の請求項４に記載されたクランプセンサは、互いの先端部が突き当たる閉状態で被測定導体をクランプする開閉可能な一対のクランプアームと、該クランプアームを開閉可能に支持する本体とを有するクランプセンサであって、該本体、及び／又はクランプアームが、該クランプアームの先端部側の方向に光を照射可能な光照射部を有しており、該本体が、該クランプアームが開状態のときに該光照射部に光を照射させ、且つ前記クランプアームが開状態から閉状態になったときに、所定時間が経過するまで前記光照射部に光の照射を継続させる制御部を有することを特徴とする。
【００１３】
請求項５に記載されたクランプセンサは、請求項４に記載のもので、前記クランプアームが、前記光照射部の光の照射に連動して補助光を照射する補助光照射部を有することを特徴とする。
【発明の効果】
【００１４】
本発明のクランプ式測定器、及びクランプセンサによれば、クランプアームの先端部側の方向に光を照射する光照射部を有し、クランプアームが開状態のときに、制御部が光照射部に光照射させることにより、クランプすべき被測定導体を照らすことができるので、暗い場所でも作業者は被測定導体を確実に視認することができ、被測定導体をクランプする作業を簡便かつ迅速に行うことができる。光の照射時間は、被測定導体をクランプアームに出し入れを行う照明が必要な短時間になるので、電力を必要以上に消費せず、省エネルギーな測定器とすることができる。特に、電池を電源とするクランプ式測定器の場合には、光照射による電池の電力消耗を少なくでき、作動可能時間を可及的に長くすることができる。
【００１５】
また、クランプアームが開状態から閉状態になったときに所定時間が経過するまで光照射部に光照射を継続させる場合には、クランプアームの先端部同士が確実に突き当たって閉状態が正常であることの確認や、クランプした被測定導体の確認などを作業者が行う時間だけ光照射が継続するので、測定作業を確実に行うことができる。
【００１６】
クランプアームに補助光照射部を有する場合には、例えば一対のクランプアームで形成される閉空間内を照らすことで、被測定導体を一層確実に視認することができるので、クランプする作業を一層簡便かつ迅速に行うことができる。
【００１７】
クランプ式測定器に光照射部に光照射させるための操作部を有する場合には、作業者は照明の必要性に応じた任意のタイミングで光照射することができる。
【図面の簡単な説明】
【００１８】
【図１】本発明を適用するクランプ式測定器の使用状態を示す正面図である。
【図２】図１のクランプ式測定器の光照射部を示す一部拡大断面図である。
【図３】図１のクランプ式測定器のブロック図である。
【図４】本発明を適用する他のクランプ式測定器を示す一部拡大図である。
【図５】図５のクランプ式測定器の要部を示すブロック図である。
【図６】本発明を適用するクランプセンサとこれに接続される電力測定器とを示す斜視図である。
【発明を実施するための形態】
【００１９】
以下、本発明の実施形態を詳細に説明するが、本発明の範囲はこれらの実施形態に限定されるものではない。
【００２０】
本発明を適用するクランプ式測定器の好ましい形態について、図１を参照しつつ説明する。図１（ａ）には閉状態のクランプ式測定器１を示し、図１（ｂ）には開状態のクランプ式測定器１を示している。
【００２１】
クランプ式測定器１は、略円弧状の一対のクランプアーム３，３が、本体２に開閉可能に支持されていて、被測定導体５０に流れる電流を非接触で測定可能に構成されているものである。図１（ａ）に示すように、一対のクランプアーム３，３は、互いの先端部３１同士が突き当たる閉状態で略環状を形成して、被測定導体５０をクランプ（取り囲み）可能になっている。このクランプアーム３の内部には電流センサ（図示せず）が備えられていて、閉状態で、被測定導体５０に流れる電流を検出して、その電流値に対応する信号を出力する。
【００２２】
図１（ｂ）に示すように、一対のクランプアーム３，３は、互いの先端部３１，３１同士が離反する開状態で、被測定導体５０を、先端部３１，３１同士の間を通してクランプアーム３，３によって形成される環状内に出し入れ可能になっている。
【００２３】
本体２は、クランプアーム３を開閉可能に支持するために、少なくとも一方のクランプアーム３の後端部側（本体２側）を回動可能に軸支している。本実施形態では、両クランプアーム３の後端部側が回動可能に本体２に軸支されている例を示している。このクランプアーム３は、図１（ａ）に示すような閉状態となる方向にバネ等の付勢手段（図示せず）によって常時付勢されている。また、本体２は、回動可能なクランプアーム３を開閉操作するための開閉用レバー５を有している。開閉用レバー５は、本体２に回動可能に軸支されていて、その動きに連動してクランプアーム３が回動するように直接、又はギア等を介してクランプアーム３に連結されている。このようなクランプアーム３やそれを軸支する構造、付勢手段、及び開閉用レバー５の構造等は、公知のクランプ式測定器に使用されている構造を採用することができるので、詳細な説明は省略する。同図では、本体２の左側に開閉用レバー５が１つ設けられている例を示しているが、本体２の両側に開閉用レバー５，５が設けられていてもよい。
【００２４】
さらに本体２は、同図に示すように、光照射部７、検出スイッチ９、電源スイッチ１１、操作部１２、及び表示部１３を有している。光照射部７は、一例として、図１に示すように、本体２のクランプアーム３，３の中間の位置に、クランプアーム３，３の先端部３１，３１側の方向に光Ｌを照射する向きで設けられている。光照射部７は、図１（ｂ）に示すように、開状態の先端部３１，３１の中間を光Ｌ（光Ｌの光軸）が通るように本体２に設けることが好ましい。光照射部７は、発光素子の一例として発光ダイオード８を有している。
【００２５】
図２（ａ）〜（ｃ）に光照射部７の構成例を一部拡大断面図で示す。図２（ａ）は、光照射部７として、発光ダイオード８の後側（図の下側）から放物曲面状の反射鏡３５を配置し、発光ダイオード８の前側（図の上側）に透明な保護板３６を設けた例である。図２（ｂ）は、光照射部７として、発光素子８の前側にレンズ３７を設けた例である。図２（ｃ）は、発光ダイオード８のみで光照射部７とした例である。また、図示しないが、導光部材を配してもよいし、光拡散部材を配してもよい。光照射部７の構成はこれらの構成例に限られず、公知の種々の構成を採用することができる。
【００２６】
光照射部７が有する発光ダイオード８の数は１つに限られず、所望の明るさにするために複数であってもよい。また、発光ダイオード８は、同図に示すようなリード付きのディスクリートタイプであっても、表面実装可能なチップタイプであってもよい。
【００２７】
図１に示す検出スイッチ９は、開閉用レバー５の開閉操作を検出することで、クランプアーム３，３の開閉状態を検出するためのものであり、一例として、押しボタン式のマイクロスイッチである。検出スイッチ９は、図１（ａ）に示すように、開閉用レバー５が操作されていない状態、つまり開閉用レバー５が本体２に押し込まれていない状態でマイクロスイッチの押しボタンが押下されず、図１（ｂ）に示すように、開閉用レバー５が操作されて本体２側に押し込まれた状態で、押しボタンが押下される位置に配置されている。
【００２８】
電源スイッチ１１は、クランプ式測定器１の電源のオン／オフを切換え操作するためのスイッチである。操作部１２は、クランプ式測定器１の各種機能を切り替え操作するためのものであり、一例として複数の操作ボタンが配置されている。この操作部１２には、発光ダイオード８の点灯／消灯を手動操作するための照明用の操作ボタンも配置されている。表示部１３は、測定値や測定モード等を表示するための、一例として液晶ディスプレイである。
【００２９】
図３に、クランプ式測定器１の電気的なブロック図の一例を示す。クランプ式測定器１は、１次電池又は２次電池である電源１４に、電源スイッチ１１、制御スイッチ１５、駆動回路１６、及び発光ダイオード８がこの順に接続されている。また、クランプ式測定器１は、本体２内部に制御部２０を有しており、この制御部２０に、制御スイッチ１５、検出スイッチ９、電流センサ部１８、操作部１２、及び表示部１３が各々接続されている。制御部２０には、電源スイッチ１１を介して電源１４が接続されている。また、図示しないが、電源供給の必要な各部回路にも電源スイッチ１１を介して電源１４が接続されている。
【００３０】
制御スイッチ１５は、例えばリレー、又は半導体スイッチなどのオン／オフ制御が可能なスイッチである。駆動回路１６は、例えば定電流回路、又は電流制限抵抗などの、発光ダイオード８を所定電流で駆動して所望の明るさで発光させる回路である。
【００３１】
制御部２０は、ＣＰＵ（Central Processing Unit）２１、記憶部２２、及びタイマ回路２３を備えている。ＣＰＵ２１は、クランプ式測定器１の動作を統括的に制御するものである。ＣＰＵ２１には、記憶部２２及びタイマ回路２３が接続されると共に、制御部２０に接続された、制御スイッチ１５、検出スイッチ９、電流センサ部１８、操作部１２、及び表示部１３が接続されている。記憶部２２は、ＲＯＭやＲＡＭ等（共に図示せず）で構成され、ＣＰＵ２１が動作するためのプログラムを予め記憶すると共に、ＣＰＵ２１の作業領域として使用されたり測定結果を記憶したりする。
【００３２】
タイマ回路２３は、ＣＰＵ２１に制御されて所定時間の経過を計測するものである。具体的には、タイマ回路２３は、ＣＰＵ２１から計測開始信号を受けると時間計測を開始して、所定時間が経過するとＣＰＵ２１に計測終了信号を出力する。
【００３３】
電流センサ部１８は、クランプアーム３，３内の電流センサ、及びこの電流センサの出力するアナログ電流値をデジタル変換するアナログ／デジタル変換器（共に図示せず）を有している。
【００３４】
次に、クランプ式測定器１の動作について図１、図３を参照して説明する。
【００３５】
図３に示すクランプ式測定器１の電源スイッチ１１がオフからオンに操作されると、電源１４から制御部２０に電力供給されて、制御部２０が動作を開始する。これにより、ＣＰＵ２１は、記憶部２２から動作用プログラムを読み込んで動作して、電流センサ部１８から出力される電流値を表示部１３に表示させる。このときＣＰＵ２１は、操作部１２によって選択された測定モードにしたがって、測定値を適宜演算処理して表示部１３に表示させてもよい。このような動作は公知のクランプ式測定器と同様の動作であるので、詳細な説明は省略する。
【００３６】
また、ＣＰＵ２１は、動作の開始から検出スイッチ９の状態を監視する。図１（ａ）のように、開閉用レバー５が操作されていないときには、検出スイッチ９は非検出状態になっている。ＣＰＵ２１は、検出スイッチ９が非検出状態のときには、制御スイッチ１５をオフに制御する。従って、クランプアーム３，３（図１（ａ）参照）が閉状態のときに、発光ダイオード８が発光せず、光照射部７から光Ｌが照射されない。
【００３７】
一方、図１（ｂ）のように、開閉用レバー５が操作されているときには、検出スイッチ９が検出状態になっている。図３に示すＣＰＵ２１は、検出スイッチ９が検出状態であると判別したときには、直ちに制御スイッチ１５をオンに制御する。これにより、電源１４から駆動回路１６に電力供給されて、発光ダイオード８が発光する。従って、クランプアーム３，３（図１（ｂ）参照）が開状態のときに、光照射部７から光Ｌが照射される。この光Ｌは、図１（ｂ）に示すように、クランプアーム３，３の先端部３１，３１方向で、先端部３１，３１の間を通るように照射されて、クランプアーム３，３に導入前の被測定導体５０を明るく照らし出す。従って、作業者は、暗所でも被測定導体５０を明るく視認しつつクランプすることができる。
【００３８】
光Ｌは、一例として、クランプアーム３から０．１〜３ｍ程度離れた距離の被測定導体５０を充分に視認可能に照らし出す明るさであると作業性が良いので好ましい。また、光Ｌは、スポットライト状に照らすようにしても、広範囲を照らすようにしてもよい。
【００３９】
作業者が被測定導体５０をクランプしてから開閉用レバー５の操作を解除すると、開閉用レバー５は図１（ｂ）の状態から図１（ａ）の状態になり、検出スイッチ９が検出状態から非検出状態になる。図３のＣＰＵ２１は、検出スイッチ９が開状態から閉状態になったときに、直ちにタイマ回路２３に時間計測を開始させると共に、制御スイッチ１５のオンの状態を維持させる。ＣＰＵ２１は、タイマ回路２３が所定時間の経過の計測を終了したときに、直ちに制御スイッチ１５をオフに制御して、発光ダイオード８を消灯させる。従って、クランプアーム３，３が開状態から閉状態になったときに、所定時間が経過するまで光照射部７が光照射を継続する。これにより、作業者は、測定前に、閉状態にしたクランプアーム３，３の先端部３１，３１同士の突き当たり具合などのクランプ状態の確認や、被測定導体５０の確認を行うことができる。作業者は、クランプ状態等が正常であると確認してから、表示部１３に表示された測定値を読み取って、測定を終了する。
【００４０】
光照射部７が光照射を継続する所定時間は、作業者がクランプ状態等の確認に必要な時間であり、一例として、１〜５秒程度の時間であることが好ましい。
【００４１】
一方、ＣＰＵ２１は、操作部１２の照明用の操作ボタンが操作されているときには、クランプアーム３，３の開閉状態に関わらず、制御スイッチ１５をオンにして、発光ダイオード８を発光させる。つまり、操作部１２を操作することで、クランプアーム３，３（図１（ａ）参照）が閉状態でも、光照射部７から光Ｌが照射される。
【００４２】
このように、開閉用レバー５の操作だけでなく、操作部１２の操作でも光照射部７から光Ｌを照射させるようにすると、暗所での測定の作業性がさらに向上する。例えば、クランプ中の被測定導体５０の状態を再確認する場合や、暗所の周囲の状況を確認する場合に、照明用の操作ボタンを使用する。なお、光照射部７からの光照射を、開閉用レバー５の操作のみだけで行う構成にしてもよく、また、操作部１２の操作のみだけで行う構成にしてもよい。
【００４３】
次に、本発明の他の実施形態であるクランプ式測定器１ａについて説明する。なお、以下において、既に説明した構成と同様の構成については同じ符号を付して詳細な説明を省略する。
【００４４】
図４に、クランプ式測定器１ａの使用状態を一部拡大図で示す。クランプ式センサ１ａは、光照射部７を有すると共に、一対のクランプアーム３ａ，３ａに補助光照射部２５，２５・・・を有している。この補助光照射部２５は、一例として、クランプアーム３ａ，３ａが形成する略環状の内側の方向（クランプアーム３ａ，３ａが形成する閉空間の方向）に補助光Ｌｓを照射するようにクランプアーム３ａに配置されている。同図では、補助光照射部２５を１本のクランプアーム３ａに２個所、２本で計４個所に配置した例を示しているが、補助光照射部２５の数はこれに限定されず、全体で１個所だけに配置してもよく、配置する数は任意である。また、補助光Ｌｓの方向は、略環状の内側だけでなく、外側の方向にしてもよい。
【００４５】
補助光照射部２５は、発光素子として発光ダイオード２６を有している。補助光照射部２５は、図２に示す光照射部７のような構成にしてもよいし、発光ダイオード２６の光を拡散させるように、発光ダイオード２６を光拡散部材で覆ったり、発光ダイオード２６の前方に光拡散部材を配したりしてもよい。
【００４６】
図５にクランプ式測定器１ａのブロック図の一部を示す。なお、同図に図示しない部分は、図３に示すクランプ式測定器１のブロック図と同様である。同図に示すように、発光ダイオード８、及び発光ダイオード２６，２６・・・は、各々駆動回路１６，１６・・・に接続されている。各駆動回路１６は、制御スイッチ１５に並列的に接続されている。このため、制御部２０が制御スイッチ１５をオン／オフ制御すると、発光ダイオード８、及び発光ダイオード２６，２６・・・が全て連動して点灯／消灯する。つまり、図４に示す補助光照射部２５は、光照射部７の光Ｌの照射に連動して補助光Ｌｓを照射する。
【００４７】
このように補助光照射部２５を設けると、図４に示すように、クランプアーム３，３の環状内に導入されてきた被測定導体５０が、光照射部７の光Ｌで照射されるだけでなく、補助光照射部２５の補助光Ｌｓで多方向から照射されるので、測定者は暗所でも被測定導体５０を一層確実に視認することができ、一層確実にクランプ作業を行うことができる。補助光照射部２５の補助光Ｌｓは、クランプアーム３，３の環状内を照らす明るさであればよいので、光照射部７の光Ｌの明るさよりも暗くしてもよい。
【００４８】
なお、光照射部７を本体２に設けた例について示したが、一方又は両方のクランプアーム３に設けてもよいし、本体２及びクランプアーム３に設けてもよい。また、光Ｌが開状態の先端部３１，３１の中間を通るように光照射部７を設けることが好ましいが、光Ｌが概ね先端部３１，３１の方向に照射されれば被測定導体５０を照らすことができるので、例えば図１（ｂ）に示した光Ｌを、左右方向や紙面の表面方向、裏面方向に傾けてもよい。
【００４９】
また、タイマ回路２３を備えずに、クランプアーム３，３が開状態から閉状態になったときに、直ちに制御部２０（ＣＰＵ２１）が光照射部７の光照射を停止する構成にしてもよい。また、ＣＰＵ２１が制御スイッチ１５を電気的にオン／オフ制御した例について説明したが、制御スイッチ１５を機械的な動きでオン／オフする例えば押しボタン式のスイッチに換えて検出スイッチ９の位置に配置してもよい。この場合、この機械的な動きでオン／オフするスイッチが本発明における制御部になる。また、タイマ回路２３を駆動回路１６内に配置してもよい。また、本体２が操作部１２、表示部１３や制御部２０を有する構成について説明したが、本体２とは別体の筐体に操作部１２等を配置して、本体２と別体の筐体とをケーブル接続する構成にしてもよい。さらに、検出スイッチ９をクランプアーム３の根元部分に配置して、クランプアーム３の動きで検出スイッチ９をオン／オフする構成にしてもよい。また、発光ダイオード８，２６に換えて、電球を用いてもよい。
【００５０】
また、発光ダイオード２６に換えて、アクリル材等でできた導光部材や光ファイバをクランプアーム３に配設し、発光ダイオード８の光を導光部材や光ファイバを通して導き、補助光照射部２５から照射してもよい。クランプアーム３，３は略円弧状のほかに、閉状態で略方形状や略多角形状になる形状であってもよい。また一方のクランプアームと他方のクランプアームとが非対称形状であってもよい。
【００５１】
次に、本発明の実施形態であるクランプセンサ４０について説明する。
【００５２】
図６に示すように、クランプセンサ４０は、電力測定器４５のコネクタ４６に接続されて使用されるものであり、電力測定器４５と共に販売されたり、オプション品として単体で販売されたりするものである。同図では、一例として、電力測定器４５に３つのクランプセンサ４０が接続される例を示している。このクランプセンサ４０は、既に説明したクランプ式測定器１からクランプセンサ部分を別体にしたものである。なお、電力測定器４５には、図示しないが、他にも電圧測定用のプローブが接続されている。
【００５３】
クランプセンサ４０は、全体として鋏状の形状をしており、互いの先端部３１，３１が突き当たる閉状態で被測定導体をクランプする開閉可能な一対のクランプアーム３，３と、クランプアーム３，３を開閉可能に支持する本体２ａとを有している。本体２ａにはケーブル４２が接続されていて、ケーブル４２の先端には、電力測定器４５のコネクタ４６に接続するためのコネクタ４３が付されている。
【００５４】
本体２ａは、鋏状の柄の部分に相当し、操作レバーを兼ねている。本体２ａは、クランプアーム３，３の根元部分に光照射部７を有すると共に、電源スイッチ１１を有している。また、本体２ａは、その内部に、検出スイッチ４１や、図示しないが、図３に示した電源１４、発光ダイオード８やその駆動回路１６を有しており、図３に示した制御スイッチ１５に換えて検出スイッチ４１が配されている。検出スイッチ４１は、本体部２ａの開閉操作でオン／オフする機械的なスイッチであり、この場合、本発明における制御部に相当する。
【００５５】
クランプセンサ４０は、光照射部７や検出スイッチ４１等が配されていることで、クランプアーム３，３が開状態のときにクランプアーム３，３の先端部３１，３１側の方向に光照射部７から光を照射する。このような光照射機能は、電源スイッチ１１をオンにしているときに作動する。
【００５６】
なお、クランプセンサ４０（発光ダイオード８）の電源が電力測定器４５からケーブル４２を介して供給されるようにしてもよい。クランプセンサ４０でも、クランプ式測定器１，１ａで説明したような変形例を採用することができる。
【符号の説明】
【００５７】
１・１ａはクランプ式測定器、２・２ａは本体、３・３ａはクランプアーム、５は開閉用レバー、７は光照射部、８は発光ダイオード、９は検出スイッチ、１１は電源スイッチ、１２は操作部、１３は表示部、１４は電源、１５は制御スイッチ、１６は駆動回路、１８は電流センサ部、２０は制御部、２１はＣＰＵ、２２は記憶部、２３はタイマ回路、２５は補助光照射部、２６は発光ダイオード、３１は先端部、３５は反射鏡、３６は保護板、３７はレンズ、４０はクランプセンサ、４１は検出スイッチ、４２はケーブル、４３はコネクタ、４５は電力測定器、４６はコネクタ、５０は被測定導体、Ｌは光、Ｌｓは補助光である。
【図１】
0005588319.tif 000002
【図２】
0005588319.tif 000003
【図３】
0005588319.tif 000004
【図４】
0005588319.tif 000005
【図５】
0005588319.tif 000006
【図６】
0005588319.tif 000007